(57)【特許請求の範囲】
【請求項１】
水洗トイレ個室内の壁面に凹部を形成して該凹部内に水洗トイレのフラッシュバルブを設置し、該フラッシュバルブの開弁用押しボタンを押圧することにより前記水洗トイレ内に水を噴出するフラッシュバルブ操作装置において、前記凹部の開口部に設けた扉板に透孔を形成すると共に、該扉板の裏面に操作レバーをその根部において枢支し、該操作レバーの中間部に、前記押しボタンを押圧可能な押圧突起を突設すると共に、前記操作レバーの先端部に、前記透孔から前記扉板の表面に突出する操作ボタンを突設したことを特徴とするフラッシュバルブ操作装置。
【請求項２】
前記水洗トイレ個室内の下方部に足踏み用ペダルを設けると共に、前記押しボタンに、該ペダルを踏むとこれに連動して連結部材を介して該押しボタンを押圧する押圧部材を設けたことを特徴とする請求項１に記載のフラッシュバルブ操作装置。
【請求項３】
水洗トイレ個室内の壁面に凹部を形成して該凹部内又は該壁面に離隔操作形のフラッシュバルブを設置し、手動による主操作弁又は足踏みペダルによる補助操作弁の開弁に伴う作動流体の作動により前記フラッシュバルブを開弁して前記水洗トイレ内に水を噴出する離隔操作形のフラッシュバルブ操作装置において、前記凹部内に前記主操作弁を設け、該凹部の開口部に設けた扉板に透孔を形成すると共に、該扉板の裏面に操作レバーをその根部において枢支し、該操作レバーの中間部に、該主操作弁を押圧可能な押圧突起を突設すると共に、前記操作レバーの先端部に、前記透孔から前記扉板の表面に突出する操作ボタンを突設したことを特徴とするフラッシュバルブ操作装置。
【請求項４】
前記壁面の下方部に下側凹部を形成し、該下側凹部の下面に前記足踏み用ペダルを設けたことを特徴とする請求項２又は請求項３に記載のフラッシュバルブ操作装置。
【請求項５】
前記下面は手前側が斜下方となる傾斜面に形成したことを特徴とする請求項４に記載のフラッシュバルブ操作装置。
【発明の詳細な説明】
【０００１】
【発明の属する技術分野】
本発明は、水洗トイレの操作性を良好にしたフラッシュバルブ操作装置に関する。
【０００２】
【従来の技術】
従来の水洗トイレ用のフラッシュバルブ装置として、その本体部が水洗トイレ個室内の壁面に形成の凹部内に設置され、その押しボタンが該凹部の開口部の扉板に形成の透孔から突出する形式のものが一般に使用されている。
【０００３】
【発明が解決しようとする課題】
この従来のフラッシュバルブ装置によれば、押しボタンを押して該フラッシュバルブ装置を開弁し、水洗トイレ内に水を噴出させるため該押しボタンを押すのにかなり大きな力を必要とし、押す指先が痛くなる等の操作性に問題があった。
【０００４】
本発明は、この問題点を解消し、使用時の操作性を良好にすると共に破損しにくいフラッシュバルブ操作装置を提供することを目的とする。
【０００５】
【課題を解決するための手段】
本発明は上記の目的を達成すべく、水洗トイレ個室内の壁面に凹部を形成して該凹部内に水洗トイレのフラッシュバルブを設置し、該フラッシュバルブの開弁用押しボタンを押圧することにより前記水洗トイレ内に水を噴出するフラッシュバルブ操作装置において、前記凹部の開口部に設けた扉板に透孔を形成すると共に、該扉板の裏面に操作レバーをその根部において枢支し、該操作レバーの中間部に、前記押しボタンを押圧可能な押圧突起を突設すると共に、前記操作レバーの先端部に、前記透孔から前記扉板の表面に突出する操作ボタンを突設したことを特徴とする。
【０００６】
【発明の実施の形態】
本発明の第１の実施の形態を図１及び図２により説明する。
【０００７】
１は本発明の第１の実施の形態であるフラッシュバルブ装置を示し、該フラッシュバルブ装置１は押しボタン４ａ付のフラッシュバルブ４及び該押しボタン４ａの操作レバー２などからなる。
【０００８】
６は水洗トイレ個室の壁面を示し、該壁面６には凹部５が形成され、該凹部５の開口部に扉板３が設けられている。
【０００９】
図１の断面側面図に示す如く、前記水洗トイレ用のフラッシュバルブ４は前記凹部５内に設けられ、又前記扉板３は図２に示す如く該凹部５の開口部の右側に裏面から蝶番などにより枢着されていると共に該開口部の左側の鍵部３ｃにより通常は開かない様に係止され、該扉板３の下方部に透孔３ａが形成されている。
【００１０】
又、前記扉板３の裏面の上方部に前記操作レバー２がその根部２ｂで枢支され、該操作レバー２の中間部に押圧突起２ｃが設けられており、この押圧突起２ｃが前記フラッシュバルブ４の押しボタン４ａを押圧し、更に該操作レバー２の先端部に水洗用の前記操作ボタン２ａが設けられ、該操作ボタン２ａが前記透孔３ａを貫通して前記扉板３表面に突出するようにした。
【００１１】
尚、押圧突起２ｃの先端は球形又は角に丸味を設けて押しボタン４ａを円滑に押圧できる様に形成している。
【００１２】
次に本発明の第１の実施の形態であるフラッシュバルブ操作装置１の使用方法を図３により説明する。
【００１３】
先ず、水洗トイレ個室内で用便後、次に図２に示す如く扉板３の透孔３ａから表面に突出している操作ボタン２ａを押すと図３に示す如く、根部２ｂを中心に操作レバー２は図で時計方向に回転し、該操作レバー２の中間部にある押圧突起２ｃがフラッシュバルブ４の押しボタン４ａを押圧してバルブが開き、水を急速に便器に流して洗浄する。
【００１４】
該操作レバー２において、根部２ｂから中間部の押圧突起２ｃと先端の操作ボタン２ａまでのレバー比は１対２乃至４程度に形成されており、そのため、直接押せば指先が痛くなる程重いフラッシュバルブ４の押しボタン４ａの押圧力を約１／２乃至１／４に軽減することができる。
【００１５】
又、前記操作レバー２は扉板３から操作ボタン２ａのみしか表面に出ないので破損しにくく、いたずらなどにより故意にレバーが外されたりすることがなく高い保全性を長期間維持することができる。
【００１６】
更に、従来の扉板を取外し、前記操作レバー２が枢支されている扉板３を交換取付することにより、従来の既設の装置であっても本発明のフラッシュバルブ操作装置１に容易に変更することができて汎用性を有し、操作性を各段に向上させることができる。
【００１７】
尚、操作レバー２はその根部２ｂを扉板３の上方又は下方に設けた上下方向だけでなく左右の水平方向に設けてもよい。
【００１８】
次に本発明の第２の実施の形態を図４により説明する。
【００１９】
この本発明の第２の実施の形態であるフラッシュバルブ操作装置１１はその本体部分が離隔操作形のフラッシュバルブ１４により構成されており、該離隔操作形のフラッシュバルブ１４は作動流体の圧力により開弁する作動弁が内蔵されており、この作動弁が開弁すると給水源から供給された水がトイレに噴出して洗浄するように構成されている。そして該作動弁を作動するための作動流体の管路１２は１対のＴ字分岐管１３により並列接続された第１分岐管路１９ａと第２分岐管路１９ｂに分岐され、該第１分岐管路１９ａに手動操作の主操作弁１５が、又該第２分岐管路１９ｂに足踏みペダル１７による操作の補助操作弁１６がそれぞれ介在している。
【００２０】
尚、これら第１分岐管路１９ａ及び第２分岐管路１９ｂは可撓性材料のナイロンパイプなどで形成されており、配管作業を容易にしている。
【００２１】
又、図４においては離隔操作形のフラッシュバルブ１４と主操作弁１５とが共に凹部５内に設けられているが該フラッシュバルブ１４を水洗トイレ個室内の天井近くの壁面に設置してもよい。
【００２２】
該凹部５の開口部には前記第１の実施の形態と同様に扉板３と該扉板３に枢支された操作レバー２が設けられており、該操作レバー２の押圧突起２ｃにより前記主操作弁１５が押圧される。尚、操作レバー２は水平方向に設けてもよい。
【００２３】
又、前記壁面６の下方に下側凹部１８が設けられており、該下側凹部１８の下面１８ａに足踏み操作のペダル１７が設けられ、該ペダル１７により前記補助操作弁１６が押圧されるようになっており、前記下面１８ａは手前側が斜下方となる傾斜面に形成されている。
【００２４】
次に本発明の第２の実施の形態の使用方法を説明する。
【００２５】
先ず、用便後、扉板３の透孔３ａから表面に突出している操作ボタン２ａを押すと、根部２ｂを中心にして操作レバー２は図４で時計方向に回転し、該操作レバー２の中間部にある押圧突起２ｃが主操作弁１５を押圧して開弁し、管路１２から作動流体が第１分岐管路１９ａを通ってフラッシュバルブ１４の作動弁を押圧し、その結果給水源から該フラッシュバルブ１４を通って水洗トイレの便器に洗浄水が噴出して洗浄する。又壁面６の下側凹部１８に設けられた足踏み操作のペダル１７を踏むと補助操作弁１６が押圧されて開弁し管路１２から作動流体が第２分岐管路１９ｂを通ってフラッシュバルブ１４の作動弁を押圧して開弁し、前述と同様に洗浄水を水洗トイレの便器に噴出して洗浄する。
【００２６】
このように離隔操作形のフラッシュバルブ１４は主操作弁１５でも補助操作弁１６であっても同様に洗浄することができる。
【００２７】
更に、手動の主操作弁１５は扉板３から突出した操作ボタン２ａだけで操作されるので破損したり、操作レバーが外されたりすることがなく、又レバー比により第１の実施の形態と同様に軽く操作することができる。
【００２８】
又、足踏み操作の補助操作弁１６は下側凹部１８の下面１８ａに設けたペダル１７によって操作されるので、手だけでなく足でも操作することができて操作性を良くすることができ、又清掃作業後もペダル１７の回りは手前側が下に傾斜した下面１８ａにより水が流れて、不快な水溜りを防止することができる。
【００２９】
本発明の第３の実施の形態を図５により説明する。
【００３０】
本発明の第３の実施の形態であるフラッシュバルブ操作装置２１は離隔操作形でない押しボタン直結形のフラッシュバルブの操作に手動操作と共に足踏み操作を追加して操作性を良くしたことが特徴である。
【００３１】
該フラッシュバルブ操作装置２１は前記第１の実施の形態のフラッシュバルブ操作装置１の扉板３の背面に押圧部材即ち断面三角形のくさび状押圧カム２２を上下動可能に設け、更に壁面６の下方に下側凹部１８を設け、該下側凹部１８の下面の手前側が傾斜した下面１８ａに足踏み操作の足踏みペダル２３を設け、押圧カム２２と該足踏みペダル２３の根部２３ｂとの間を剛性棒状の連結部材２４で連結した。
【００３２】
尚、操作レバー２は上下方向でなく、操作ボタン２ａと連結部材２４とが干渉しないために図５の如く水平方向に設けた。
【００３３】
次に本発明の第３の実施の形態のフラッシュバルブ操作装置２１の使用方法を説明する。
【００３４】
操作ボタン２ａを押すと、根部２ｂを中心に操作レバー２が奥側に回転し、該操作レバー２の中間部がフラッシュバルブ４の押しボタン４ａを押圧して該フラッシュバルブ４を開弁して水洗トイレに水を噴出させる。
【００３５】
足踏ペダル２３を踏むと、該足踏ペダル２３の中間部２３ａが下側凹部１８に枢支されているので該足踏ペダル２３が該中間部２３ａを中心に図で時計方向に回転し、該足踏ペダル２３の根部２３ｂに係止された連結部材２４は上方に押し上げられて押圧カム２２は操作レバー２の下端を押し該操作レバー２はフラッシュバルブ４の押しボタン４ａを押圧して該フラッシュバルブ４を開弁して水洗トイレに水を噴出させる。
【００３６】
この様に前記第１の実施の形態のフラッシュバルブ操作装置１の扉板３に押圧カム２２を追加し、下側凹部１８の下面１８ａに足踏ペダル２３を設け、これら押圧カム２２と足踏ペダル２３との間を連結部材２４で連結することにより、手動操作と共に足踏み操作を追加することができて操作性を向上させることができ、又足踏ペダル２３は手前が傾斜した下面１８ａに設けられているので清掃作業後足踏ペダル回りに水が溜まるのを防止することができる。
【００３７】
尚、図５において、足踏みペダル２３を足踏み操作すると、くさび状押圧カム２２を上方に押し上げて操作レバー２を押していたが、該くさび状押圧カム２２を上方に設けて足踏み操作により引き下げ方向に作動させてもよい。
【００３８】
【発明の効果】
この様に本発明によると、重いフラッシュバルブの押しボタンも所定のレバー比により押圧力を軽減して操作性を向上させ、又、扉板から操作ボタンのみしか突出していないことにより破損しにくい効果を有する。
【図面の簡単な説明】
【図１】本発明の第１の実施の形態の断面側面図である。
【図２】その外観の斜視図である。
【図３】その使用時の断面説明図である。
【図４】本発明の第２の実施の形態の断面説明図である。
【図５】本発明の第３の実施の形態の１部截除の斜視図である。
【符号の説明】
１      フラッシュバルブ操作装置
２      操作レバー
２ａ    操作ボタン
３      扉板
３ａ    透孔
４      フラッシュバルブ
４ａ    押しボタン
５      凹部
６      水洗トイレ個室用の壁面
【図１】
0004603720.tif 000002
【図２】
0004603720.tif 000003
【図３】
0004603720.tif 000004
【図４】
0004603720.tif 000005
【図５】
0004603720.tif 000006